(57)【要約】【課題】ファクシミリ送信指示の際に送信先として入力されたファクシミリ番号がアドレス帳に登録されている番号であった場合にでも、アドレス帳に登録されるその番号の宛先への短縮ダイヤルの際に適用されるパラメータを全て適用するのではなく、パラメータの種類などに応じて適用するパラメータを制御したファクシミリ通信を行うファクシミリ装置およびファクシミリプログラムを提供する。【解決手段】予め宛先情報記憶部１０５に、宛先へのファクシミリ情報と、宛先への短縮ダイヤル機能により通信される際に適用するアプリ系パラメータと通信系パラメータとを記憶させ、操作／表示部１０４からファクシミリ番号が入力されてファクシミリ送信指示されると、宛先情報記憶部１０５に記憶されるアプリ系パラメータを適用せずにファクシミリ送信制御される。【選択図】図１
2011135300.tif 000002
【特許請求の範囲】
【請求項１】
宛先へのファクシミリ番号と当該宛先へ送信する際に適用させる通信設定情報と当該通信設定情報を適用した通信に基づき実施される通信機能の詳細を設定する機能設定情報とを含む宛先情報を記憶する記憶手段と、
送信先のファクシミリ番号を受け付ける受付手段と、
受付手段で受け付けたファクシミリ番号と、記憶手段に記憶されるファクシミリ番号とを比較する比較手段と、
前記比較手段による比較の結果、前記ファクシミリ番号が一致した場合には、前記受付手段で受け付けたファクシミリ番号に対して、前記記憶手段に記憶される前記通信設定情報を適用し前記機能設定情報を適用せずにファクシミリ送信制御を行う送信制御手段と
を具備するファクシミリ装置。
【請求項２】
前記受付手段は、
前記送信先のファクシミリ番号と共に該送信先へのファクシミリ送信に適用を所望する前記通信設定情報或いは前記機能設定情報を操作者から受け付け、
前記送信制御手段は、
前記受付手段で受付けた機能設定情報を適用してファクシミリ送信制御を行う
請求項１に記載のファクシミリ装置。
【請求項３】
前記送信制御手段は、
前記受付手段で受け付けた前記通信設定情報或いは前記機能設定情報は、前記比較手段による比較の結果一致したファクシミリ番号が宛先情報として記憶されている宛先の前記通信設定情報或いは前記機能設定情報と各々異なっているか否かを確認する確認手段と、
前記確認手段で異なっていると確認された場合に、前記操作者に、前記受付手段で受け付けた前記通信設定情報或いは前記機能設定情報と、前記比較手段による比較の結果一致したファクシミリ番号が宛先情報として記憶されている宛先の前記通信設定情報或いは前記機能設定情報とが異なることを表示する表示手段と
を有する
請求項１または２に記載のファクシミリ装置。
【請求項４】
前記送信制御手段は、
前記記憶手段に記憶される前記機能設定情報は適用せず前記記憶手段に記憶される前記通信設定情報を適用してファクシミリ送信を行う許可を操作者から得た場合に、該機能設定情報は適用せずに該通信設定情報を適用したファクシミリ送信制御を行う
請求項１乃至３にいずれか記載のファクシミリ装置。
【請求項５】
前記機能設定情報とは、
親展通信、Ｆコード通信、中継通信、時刻指定通信、送信部数設定通信の少なくともいずれか一つを含む情報である
請求項１乃至４にいずれか記載のファクシミリ装置。
【請求項６】
前記通信設定情報とは、
通信速度設定、画像符号化方式設定、送信レベル設定、宛先種別設定、通信モード設定、Super Ｇ３禁止設定、ＪＢＩＧ禁止設定、ＥＣＭ禁止設定の少なくともいずれか一つを含む情報である
請求項１乃至５にいずれか記載のファクシミリ装置。
【請求項７】
宛先へのファクシミリ番号と当該宛先へ送信する際に適用させる通信設定情報と当該通信設定情報を適用した通信に基づき実施される通信機能の詳細を設定する機能設定情報とを含む宛先情報を記憶する記憶手段と、
送信先のファクシミリ番号と共に該送信先へのファクシミリ送信に適用を所望する前記機能設定情報を操作者から受け付ける受付手段と、
受付手段で受け付けたファクシミリ番号と、記憶手段に記憶されるファクシミリ番号とを比較する比較手段と、
前記比較手段による比較の結果、前記ファクシミリ番号が一致した場合に、前記受付手段で受け付けたファクシミリ番号に対して、前記通信設定情報は自装置に初期状態として設定されている前記通信設定情報を適用し、また、前記機能設定情報は前記記憶手段に記憶される前記機能設定情報を適用せずに前記受付手段で受け付けた前記機能設定情報を適用してファクシミリ送信制御を行う送信制御手段と
を具備するファクシミリ装置。
【請求項８】
コンピュータを、
宛先へのファクシミリ番号と当該宛先へ送信する際に適用させる通信設定情報と当該通信設定情報を適用した通信に基づき実施される通信機能の詳細を設定する機能設定情報とを含む宛先情報を記憶する記憶手段、
送信先のファクシミリ番号を受け付ける受付手段、
受付手段で受け付けたファクシミリ番号と、記憶手段に記憶されるファクシミリ番号とを比較する比較手段、
前記比較手段による比較の結果、前記ファクシミリ番号が一致した場合には、前記受付手段で受け付けたファクシミリ番号に対して、前記記憶手段に記憶される前記通信設定情報を適用し前記機能設定情報を適用せずにファクシミリ送信制御を行う送信制御手段
として機能させるためのファクシミリプログラム。
【発明の詳細な説明】
【技術分野】
【０００１】
本発明は、ファクシミリ装置およびファクシミリプログラムに関する。
【背景技術】
【０００２】
従来より、アドレス帳を利用して手際よくファクシミリ通信を行うことができる。
【０００３】
予めアドレス帳に宛先のファクシミリ番号等を登録しておけば、宛先に対応する短縮番号を指定するだけで、ファクシミリ番号を全て入力することなく送信先を指定することができる。
【０００４】
また、アドレス帳に登録される宛先の情報は、ファクシミリ番号に限らず、その宛先へのファクシミリ送信に適用させる通信速度や送信レベル等の通信設定（通信系パラメータ）を登録させることができる。
【０００５】
更に、アドレス帳に登録させる宛先の情報として、その宛先へのファクシミリ通信には必ず指定のＦコード通信を行わせる等のように、プログラム通信の設定内容（アプリ系パラメータ）をも登録させることができる。
【０００６】
特許文献１には、記憶部は、特定のファクシミリ端末のファクシミリ番号とその端末に対応した通信手順パラメータとを記憶しており、ＣＰＵ（Central Processing Unit）は、宛先のファクシミリ番号と記憶部に記憶済みのファクシミリ番号とを比較し、一致するときには、そのファクシミリ番号とともに記憶された通信手順パラメータを読み出して、その読み出した通信手順パラメータを適用してファクシミリ送信させるファクシミリ蓄積交換装置が提案されている。
【０００７】
特許文献２には、認識番号とパラメータ情報とが記憶部に記憶され、一時的に記憶される発呼先の電話番号と認識番号とをＣＰＵが比較し、一致する場合には発呼先に応じたパラメータ情報が適用されて通信を行うことを可能とするファクシミリ装置が提案されている。
【０００８】
特許文献３には、予め宛先電話番号を登録して通信開始時に選択して指定できるアドレス帳の機能と、送信の度にその場で電話番号を入力するための機能の２通りの宛先指定手段を有して、送信時にその場で入力した電話番号がアドレス帳の登録情報内に存在しなかった場合は送信動作を行わないモードを備えて、機密情報の漏洩を防止する送信装置及びファクシミリ装置が提案されている。
【先行技術文献】
【特許文献】
【０００９】
【特許文献１】特開平０５−０３７５５７号公報
【特許文献２】特開平０８−１９５８６８号公報
【特許文献３】特開２００５−２１７８７９号公報
【発明の概要】
【発明が解決しようとする課題】
【００１０】
アドレス帳を利用した短縮ダイヤル機能を有する装置において、ファクシミリ送信指示の際に送信先として入力されたファクシミリ番号がアドレス帳に登録されている番号であった場合には、アドレス帳に登録されるその番号の宛先への短縮ダイヤルの際に適用されるパラメータがユーザの意図とは異なり全て適用されてファクシミリ送信されてしまうことがあった。
【００１１】
そこで、この発明は、ファクシミリ送信指示の際に送信先として入力されたファクシミリ番号がアドレス帳に登録されている番号であった場合にでも、アドレス帳に登録されるその番号の宛先への短縮ダイヤルの際に適用されるパラメータを全て適用するのではなく、パラメータの種類などに応じて適用するパラメータを制御したファクシミリ通信を行うファクシミリ装置およびファクシミリプログラムを提供することを目的とする。
【課題を解決するための手段】
【００１２】
上記目的を達成する為に、請求項１の発明のファクシミリ装置は、宛先へのファクシミリ番号と当該宛先へ送信する際に適用させる通信設定情報と当該通信設定情報を適用した通信に基づき実施される通信機能の詳細を設定する機能設定情報とを含む宛先情報を記憶する記憶手段と、送信先のファクシミリ番号を受け付ける受付手段と、受付手段で受け付けたファクシミリ番号と、記憶手段に記憶されるファクシミリ番号とを比較する比較手段と、前記比較手段による比較の結果、前記ファクシミリ番号が一致した場合には、前記受付手段で受け付けたファクシミリ番号に対して、前記記憶手段に記憶される前記通信設定情報を適用し前記機能設定情報を適用せずにファクシミリ送信制御を行う送信制御手段とを具備するように構成される。
【００１３】
また、請求項２の発明は、請求項１の発明において、前記受付手段は、前記送信先のファクシミリ番号と共に該送信先へのファクシミリ送信に適用を所望する前記通信設定情報或いは前記機能設定情報を操作者から受け付け、前記送信制御手段は、前記受付手段で受付けた機能設定情報を適用してファクシミリ送信制御を行うように構成される。
【００１４】
また、請求項３の発明は、請求項１または２の発明において、前記送信制御手段は、前記受付手段で受け付けた前記通信設定情報或いは前記機能設定情報は、前記比較手段による比較の結果一致したファクシミリ番号が宛先情報として記憶されている宛先の前記通信設定情報或いは前記機能設定情報と各々異なっているか否かを確認する確認手段と、前記確認手段で異なっていると確認された場合に、前記操作者に、前記受付手段で受け付けた前記通信設定情報或いは前記機能設定情報と、前記比較手段による比較の結果一致したファクシミリ番号が宛先情報として記憶されている宛先の前記通信設定情報或いは前記機能設定情報とが異なることを表示する表示手段とを有するように構成される。
【００１５】
また、請求項４の発明は、請求項１乃至３のいずれかの発明において、前記送信制御手段は、前記記憶手段に記憶される前記機能設定情報は適用せず前記記憶手段に記憶される前記通信設定情報を適用してファクシミリ送信を行う許可を操作者から得た場合に、該機能設定情報は適用せずに該通信設定情報を適用したファクシミリ送信制御を行うように構成される。
【００１６】
また、請求項５の発明は、請求項１乃至４のいずれかの発明において、前記機能設定情報とは、親展通信、Ｆコード通信、中継通信、時刻指定通信、送信部数設定通信の少なくともいずれか一つを含む情報であるように構成される。
【００１７】
また、請求項６の発明は、請求項１乃至５のいずれかの発明において、前記通信設定情報とは、通信速度設定、画像符号化方式設定、送信レベル設定、宛先種別設定、通信モード設定、Super Ｇ３禁止設定、ＪＢＩＧ禁止設定、ＥＣＭ禁止設定の少なくともいずれか一つを含む情報であるように構成される。
【００１８】
また、請求項７の発明のファクシミリ装置は、宛先へのファクシミリ番号と当該宛先へ送信する際に適用させる通信設定情報と当該通信設定情報を適用した通信に基づき実施される通信機能の詳細を設定する機能設定情報とを含む宛先情報を記憶する記憶手段と、送信先のファクシミリ番号と共に該送信先へのファクシミリ送信に適用を所望する前記機能設定情報を操作者から受け付ける受付手段と、受付手段で受け付けたファクシミリ番号と、記憶手段に記憶されるファクシミリ番号とを比較する比較手段と、前記比較手段による比較の結果、前記ファクシミリ番号が一致した場合に、前記受付手段で受け付けたファクシミリ番号に対して、前記通信設定情報は自装置に初期状態として設定されている前記通信設定情報を適用し、また、前記機能設定情報は前記記憶手段に記憶される前記機能設定情報を適用せずに前記受付手段で受け付けた前記機能設定情報を適用してファクシミリ送信制御を行う送信制御手段とを具備するように構成される。
【００１９】
また、請求項８の発明のファクシミリプログラムは、コンピュータを、宛先へのファクシミリ番号と当該宛先へ送信する際に適用させる通信設定情報と当該通信設定情報を適用した通信に基づき実施される通信機能の詳細を設定する機能設定情報とを含む宛先情報を記憶する記憶手段、送信先のファクシミリ番号を受け付ける受付手段、受付手段で受け付けたファクシミリ番号と、記憶手段に記憶されるファクシミリ番号とを比較する比較手段、前記比較手段による比較の結果、前記ファクシミリ番号が一致した場合には、前記受付手段で受け付けたファクシミリ番号に対して、前記記憶手段に記憶される前記通信設定情報を適用し前記機能設定情報を適用せずにファクシミリ送信制御を行う送信制御手段として機能させる。
【発明の効果】
【００２０】
請求項１の発明によれば、ファクシミリ番号を入力したファクシミリ通信指示が行われた際に、宛先情報として記憶される通信機能が適用されて通信が行われることが防止されるという効果を奏する。
【００２１】
請求項２の発明によれば、ファクシミリ番号を入力したファクシミリ通信指示が行われる際に、宛先情報として記憶される通信機能が適用されずに、ファクシミリ番号を入力する際に指示した通信機能が適用されて通信が行われる。
【００２２】
請求項３の発明によれば、ユーザがファクシミリ番号を入力する際に指示した通信設定や通信機能が、宛先情報として記憶される通信設定や通信機能と異なっていることが表示される。
【００２３】
請求項４の発明によれば、ファクシミリ番号を入力した通信指示が行われた際に、宛先情報として記憶される通信機能は適用せず宛先情報として記憶される通信設定を適用して通信することが、ユーザの許可を得て行われる。
【００２４】
請求項５の発明によれば、ファクシミリ番号を入力したファクシミリ通信指示が行われた際に、宛先情報として記憶される通信機能が適用されて通信が行われることが防止されるという効果を奏する。
【００２５】
請求項６の発明によれば、ファクシミリ番号を入力したファクシミリ通信指示が行われた際に、宛先情報として記憶される通信機能が適用されて通信が行われることが防止されるという効果を奏する。
【００２６】
請求項７の発明によれば、ファクシミリ番号を入力したファクシミリ通信指示が行われた際に、宛先情報として記憶される通信機能が適用されて通信が行われることが防止されるという効果を奏する。
【００２７】
請求項８の発明によれば、ファクシミリ番号を入力したファクシミリ通信指示が行われた際に、宛先情報として記憶される通信機能が適用されて通信が行われることが防止されるという効果を奏する。
【図面の簡単な説明】
【００２８】
【図１】図１はファクシミリ通信システム１の構成を示す模式図である。
【図２】図２は新規の宛先情報の登録の際にアプリ系パラメータが設定される様子を示す操作／表示部１０４の画面構成図である。
【図３】図３は新規の宛先情報の登録の際に通信系パラメータが設定される様子を示す操作／表示部１０４の画面構成図である。
【図４】図４は宛先情報が新規登録されたアドレス帳を示す操作／表示部１０４の画面構成図である。
【図５】図５はファクシミリ装置１００の処理を示すフローチャートである。（実施例１）
【図６】図６は操作／表示部１０４の画面遷移を示す画面構成図である。
【図７】図７はアプリ系パラメータが設定される操作／表示部１０４の画面構成図である。
【図８】図８は適用予定のパラメータをユーザに確認させる画面等を示す操作／表示部１０４の画面構成図である。
【図９】図９はパラメータ変更画面等を示す操作／表示部１０４の画面構成図である。
【図１０】図１０は送信指示に対応する適用予定のパラメータを示す表である。（実施例１）
【図１１】図１１はファクシミリ装置１００の処理を示すフローチャートである。（実施例２）
【図１２】図１２は適用予定のパラメータをユーザに確認させる画面等を示す操作／表示部１０４の画面構成図である。
【図１３】図１３は送信指示に対応する適用予定のパラメータを示す表である。（実施例２）
【図１４】図１４はファクシミリ装置１００の処理を示すフローチャートである。（実施例３）
【発明を実施するための形態】
【００２９】
以下、本発明の実施例について添付図面を参照して詳細に説明する。
【００３０】
まず、ファクシミリ通信システム１について図１を参照して説明する。
【００３１】
図１は、ファクシミリ通信システム１の構成を示す模式図である。
【００３２】
ファクシミリ通信システム１では、図１に示すように、ファクシミリ装置１００がデジタル公衆回線網１０やＰＳＴＮ（Public Switched Telephone Network：公衆交換電話網）１１やインターネット１２に接続されている。
【００３３】
そして、デジタル公衆回線網１０にはファクシミリ装置２０が接続され、ＰＳＴＮ１１にはファクシミリ装置２０が接続され、インターネット１２にはファクシミリ装置２０が接続される。
【００３４】
ファクシミリ装置１００は、図１に示すように、ＣＰＵ１０１、ＲＯＭ（Read Only Memory）１０２、ＲＡＭ（Random Access Memory）１０３、操作／表示部１０４、宛先情報記憶部１０５、画像読取部１０６、印刷実行部１０７、画像処理部１０８、画像蓄積部１０９、Ｇ４ＦＡＸ伝送制御部１１０、ＩＳＤＮ（Integrated Services Digital Network）制御部１１１、Ｇ３ＦＡＸ伝送制御部１１２、モデム１１３、ＰＳＴＮ制御部１１４、ＩＦＡＸ制御部１１５、ネットワークインタフェース（以下、ネットワークＩ／Ｆと呼ぶ）１１６を有する。
【００３５】
ＣＰＵ１０１は、ファクシミリ装置１００の統括的な制御を行い、各種演算処理を行う。
【００３６】
ＲＯＭ１０２は、ファクシミリ装置１００の全体の制御処理を行うプログラム等を格納する。
【００３７】
ＲＡＭ１０３は、システム変数や画像処理のためのデータを一時記憶する。
【００３８】
操作／表示部１０４は、液晶のタッチパネルで構成されるユーザインタフェースであり、ユーザに情報を提示し、ユーザからの指示を受け付ける。
【００３９】
宛先情報記憶部１０５には、通信相手（宛先）に関する宛先情報がアドレス帳として予め記憶される。
【００４０】
アドレス帳に記憶される宛先情報には、宛先のファックス番号、宛先名、宛先に短縮ダイヤル機能を利用してファクシミリ通信する際に適用されるパラメータが含まれる。
【００４１】
ファクシミリ通信に適用されるパラメータには、通信系パラメータ（特許請求の範囲記載の通信設定情報として通信系パラメータを用いる）とアプリ系パラメータ（特許請求の範囲記載の機能設定情報としてアプリ系パラメータを用いる）とがある。
【００４２】
通信系パラメータは、ファクシミリ通信の通信設定に関する設定情報である。
【００４３】
また、アプリ系パラメータは、通信系パラメータで設定された通信に基づいて様々な機能が実現される通信を設定するための設定情報である。
【００４４】
ファクシミリ装置では、アプリ系パラメータが適用されたファクシミリ通信は、親展通信やＦコード通信など、設定されたアプリ系パラメータに応じた様々な機能が実現される。
【００４５】
宛先情報記憶部１０５は、アプリ系パラメータと通信系パラメータとを区別できるように記憶してもよい。
【００４６】
宛先情報記憶部１０５が宛先情報としてのパラメータをアプリ系パラメータと通信系パラメータとに区別できるように記憶しない場合には、ＣＰＵ１０１は、宛先情報記憶部１０５に記憶されるパラメータがアプリ系パラメータか通信系パラメータかを判断する処理を行う。
【００４７】
通信系パラメータは、具体例として「宛先種別」、「通信モード」、「Super Ｇ３禁止」、「モデムスピード（通信速度）」、「送信レベル」、「画像符号化方式」、「ＪＢＩＧ（Joint Bi-lebel Image experts Group）禁止」、「ＥＣＭ（Error Correction Mode）禁止」等が挙げられるが、これらに限定するものではない。
【００４８】
通信系パラメータである「宛先種別」では、例えば、『メール』、『サーバ』、『ファックス』、『インターネットファックス』からいずれかが適用される。
【００４９】
通信系パラメータである「通信モード」では、例えば、『Ｇ３』、『国際』、『Ｇ４』からいずれかが適用される。
【００５０】
通信系パラメータである「Super Ｇ３禁止」では、例えば、『する』、『しない』からいずれかが適用される。
【００５１】
通信系パラメータである「モデムスピード」ではモデムスピードの設定が行われ、例えば、『2400』、『4800』、『7200』、『9600』、『1200』、『14400』、『16800』、『19200』、『21600』、『24000』、『26400』、『28800』、『31200』、『33600』からいずれか（単位はbps/bit per second）が適用される。
【００５２】
通信系パラメータである「送信レベル」では送信レベルの設定が行われ、例えば、『-10』、『-11』、『-12』、『-14』、『-15』からいずれか（単位はdbm）が適用される。
【００５３】
通信系パラメータである「画像符号化方式」では画像符号化方式の設定が行われ、例えば、『MH』、『MR』、『MMR』、『JBIG』からいずれかが適用される。
【００５４】
通信系パラメータである「ＪＢＩＧ禁止」では、圧縮効率のよいＪＢＩＧ圧縮機能について、『する』、『しない』のいずれかが適用される。
【００５５】
通信系パラメータである「ＥＣＭ禁止」では、送信エラーが発生した場合には分割された単位ごとに再送信する機能であるＥＣＭ機能について、『する』、『しない』のいずれかが適用される。
【００５６】
また、アプリ系パラメータは、具体例として「親展通信」、「Ｆコード通信」、「中継通信」、「送信部数設定通信」、「時刻指定通信」等が挙げられるが、これらに限定されるものではない。
【００５７】
アプリ系パラメータである「親展通信」が適用された通信では、受信側では暗証番号を入力しないと受信データが出力されない通信機能が実現される。
【００５８】
アプリ系パラメータである「Ｆコード通信」が適用された通信では、ITU-Tに準拠したFコード通信により、幅広い相手先との親展通信や掲示板機能などを利用した通信機能が実現される。
【００５９】
アプリ系パラメータである「中継通信」が適用された通信では、中継局を指定したファクシミリ送信機能が実現される。
【００６０】
アプリ系パラメータである「送信部数設定通信」が適用された通信では、ファクシミリ送信される原稿の部数の設定が行われた通信機能が実現される（送信部数設定通信はリモートマルチコピー通信の意味である）。
【００６１】
アプリ系パラメータである「時刻指定通信」が適用された通信では、設定された時刻に送信を開始する通信機能が実現される。
【００６２】
このように、アプリ系パラメータは、通信系パラメータが設定された通信に基づいて、プログラムされた複雑な通信機能を実現するものである。
【００６３】
画像読取部１０６は、配置される原稿の画像データを光を照射し走査することで読み取る。
【００６４】
印刷実行部１０７は、受信するファックス信号に基づく画像データを用紙に印刷する。
【００６５】
画像処理部１０８は、ファクシミリ通信に関するデータの符号化または復号化等や、画像データの回転等の画像処理を行う。
【００６６】
画像蓄積部１０９は、プールされる画像データを蓄積する。
【００６７】
Ｇ４ＦＡＸ伝送制御部１１０は、Ｇ４ファクシミリプロトコルを制御する伝送制御部である。
【００６８】
ＩＳＤＮ制御部１１１は、デジタル公衆回線網１０に接続され、デジタル公衆回線網にて呼の確立、網接続の制御を行い、デジタル回線を使用するＧ４規格のファクシミリ信号の送受信を行う。
【００６９】
Ｇ３ＦＡＸ伝送制御部１１２は、ＩＴＵ−Ｔ勧告Ｔ．３０手順に従ってファクシミリプロトコルを制御する伝送制御部である。  そして、Ｇ３ＦＡＸ伝送制御部１１２は、モデム１１３と接続される。
【００７０】
モデム１１３は、音声データとデジタルデータ間での変調、復調を行う変復調装置である。そして、Ｇ３ＦＡＸ伝送制御部１１２に接続されるモデム１１３は、さらに、ＰＳＴＮ制御部１１４に接続される。
【００７１】
ＰＳＴＮ制御部１１４は、ＰＳＴＮ１１に接続され、ＰＳＴＮ１１の呼の確立、網接続の制御を行い、ＰＳＴＮ１１を使用するＧ３規格のファクシミリ信号の送受信を行う。
【００７２】
ＩＦＡＸ制御部１１５は、インターネット上でリアルタイムにＧ３ファクシミリ通信を実現する為のプロトコル制御を行う。
【００７３】
ネットワークＩ／Ｆ１１６は、インターネット１２に接続され、ＩＦＡＸ制御部１１５で制御されることによるインターネットファクシミリ信号の送受信を行う。
【００７４】
このように構成されるファクシミリ装置１００からは、画像読取部１０６で読み取られた画像データがファクシミリ送信される。
【００７５】
ファクシミリ装置１００からのＧ４規格によるファクシミリ送信の場合には、デジタル公衆回線網１０を介してファクシミリ装置２０にファクシミリ送信される。
【００７６】
ファクシミリ装置１００からのＧ３規格によるファクシミリ送信の場合には、ＰＳＴＮ１１を介してファクシミリ装置２０にファクシミリ送信される。
【００７７】
ファクシミリ装置１００からのインターネットファクシミリ送信の場合には、インターネット１２を介してファクシミリ装置２０にファクシミリ送信される。
【００７８】
ファクシミリ装置１００からのファクシミリ送信にパラメータを適用する処理は、それぞれのパラメータに応じて、画像処理部１０８、画像蓄積部１０９、Ｇ４ＦＡＸ伝送制御部１１０、ＩＳＤＮ制御部１１１、Ｇ３ＦＡＸ伝送制御部１１２、モデム１１３、ＰＳＴＮ制御部１１４、ＩＦＡＸ制御部１１５、ネットワークＩ／Ｆ１１６等により行われる。
【００７９】
また、このように構成されるファクシミリ装置１００では、通信相手に関する宛先情報が宛先情報記憶部１０５にアドレス帳として登録され記憶される。
【００８０】
アドレス帳には、通信相手のファックス番号、通信相手の宛先名、短縮ダイヤルの際に適用されるアプリ系パラメータ、短縮ダイヤルの際に適用される通信系パラメータが登録される。  宛先情報記憶部１０５には、それらのアドレス帳に登録される情報が記憶される。
【００８１】
ファクシミリ装置１００を使ってファクシミリ送信を行うユーザは、短縮ダイヤル機能を使用してファクシミリ送信を行う場合には、操作／表示部１０４より短縮番号を入力して短縮ダイヤル機能によるファクシミリ送信を実行する。
【００８２】
しかし、ファクシミリ装置１００を使ってファクシミリ送信を行うユーザは、短縮ダイヤル機能を使ったファクシミリ送信だけでなく、通信相手のファックス番号を直接操作／表示部１０４に入力して、ファクシミリ送信を指示する場合がある。
【００８３】
ファクシミリ装置１００は、このように、ユーザがファックス番号を直接入力してファクシミリ送信を指示する際に、その入力されたファックス番号がアドレス帳に登録されていて、そのファックス番号で登録されている内容に短縮ダイヤル機能を利用する際に適用させるパラメータが設定されているとしても、従来のようにそれらアドレス帳に登録されているパラメータをそのまま適用してファックス送信することはしない。
【００８４】
ここで、ファクシミリ装置１００のアドレス帳に、宛先情報が予め登録される様子を図２乃至４を参照して説明する。
【００８５】
図２乃至４は、操作／表示部１０４の操作により、アドレス帳に新規の宛先情報が登録される様子を示した操作／表示部１０４の画面構成図であり、図２は新規の宛先情報の登録の際にアプリ系パラメータが設定される様子を示す操作／表示部１０４の画面構成図であり、図３は新規の宛先情報の登録の際に通信系パラメータが設定される様子を示す操作／表示部１０４の画面構成図であり、図４は宛先情報が新規登録されたアドレス帳を示す操作／表示部１０４の画面構成図である。
【００８６】
操作／表示部１０４の初期画面には、図２（ａ）に示すように、ファックス番号の入力個所２０１、送信指示を行うＦＡＸボタン２０２、入力内容を全削除するキャンセルボタン２０３と共に、アプリ系パラメータ設定タブ２０４、通信系パラメータ設定タブ２０５、アドレス帳（短縮機能）タブ２０６が表示される。
【００８７】
アドレス帳に新規の宛先情報が登録される際には、図２（ａ）に示すように、操作／表示部１０４の操作画面よりアドレス帳（短縮機能）タブ２０６が選択された画面表示から新規登録ボタン２０７がタッチされる。
【００８８】
新規登録ボタン２０７がタッチされると、操作／表示部１０４に新規登録入力画面２０８が新たに表示される。
【００８９】
新規登録するユーザは、図２（ｂ）に示すように、新規登録入力画面２０８上に、新規登録する相手先のファックス番号と宛先名を入力する。
【００９０】
更にユーザは、新規登録の際に、登録させる通信相手に短縮ダイヤルの際に適用されるアプリ系パラメータを設定する。  アプリ系パラメータを設定する際には、図２（ｂ）に示すように、新規登録入力画面２０８上のアプリ系パラメータ設定タブ２０９内のパラメータの項目をタッチする。  ここでは、図２（ｂ）に示すように、「親展通信」というアプリ系パラメータが設定される例を説明する。
【００９１】
「親展通信」がタッチされると、「親展通信」というアプリ系パラメータを設定する親展通信設定画面２１０が操作／表示部１０４に表示される。
【００９２】
親展通信設定画面２１０上で、ユーザは、親展通信のパラメータ内容を図２（ｃ）に示すように設定して、ＯＫボタン２１１にタッチする。
【００９３】
更にユーザは、新規登録の際に、登録させる通信相手に短縮ダイヤルの際に適用される通信系パラメータを設定する。  通信系パラメータを設定する際には、図３（ａ）に示すように、新規登録入力画面２０８上の通信系パラメータ設定タブ３０１をタッチする。  ここでは、図３（ｂ）に示すように、「通信モード」という通信系パラメータが設定される例を説明する。
【００９４】
通信系パラメータ設定タブ３０１内の「通信モード」が図３（ｂ）に示すようにタッチされると、「通信モード」という通信系パラメータを設定する通信モード設定画面３０２が操作／表示部１０４に表示される。
【００９５】
通信モード設定画面３０２上で、ユーザは、通信モードのパラメータ内容を図３（ｃ）に示すように「Ｇ４」と設定して、ＯＫボタン３０３にタッチする。
【００９６】
以上のように、新規登録の際に、ユーザが操作／表示部１０４より、通信相手のファックス番号、通信相手の宛先名、短縮ダイヤルの際に適用されるアプリ系パラメータ（ユーザ所望の場合に設定が行われる）、短縮ダイヤルの際に適用される通信系パラメータ（ユーザ所望の場合に設定が行われる）が設定されると、アドレス帳への新規登録が完了する。
【００９７】
ユーザによりアドレス帳の新規登録が完了すると、図４に示すように、操作／表示部１０４の画面上に表示されるアドレス帳（短縮機能）タブ４０１内に、新規登録された内容がハッチングされて表示される。
【００９８】
アドレス帳（短縮機能）タブ４０１内には、新規登録された内容が、図４に示すように、短縮番号と共に、宛先番号、宛先名、パラメータ（デフォルトとの相違点）が表示される。
【００９９】
上記説明によって登録された内容には、図４に示すように、新たに短縮番号として「006」の番号が付与されて、その番号と共に、ファックス番号「123-456-7890」と、宛先名「@@株式会社」と、パラメータ（デフォルトとの相違点）「親展通信"003"、通信モード"G4"」とが表示される（参照番号４０２）。  アドレス帳（短縮機能）タブ４０１内に表示されるパラメータとは、ユーザによって新規登録する際に設定された、短縮ダイヤルの際に適用されるアプリ系パラメータや短縮ダイヤルの際に適用される通信系パラメータであり、ファクシミリ装置１００に予め設定されているデフォルト設定とは異なる設定についてである。
【０１００】
新規登録された宛先情報に付与された短縮番号は、アドレス帳内で宛先情報を一意に区別できる識別情報としての意味もある。
【０１０１】
このようにしてファクシミリ装置１００のアドレス帳に、予め、宛先情報が新規登録される。
【０１０２】
新規登録された宛先情報は、宛先情報記憶部１０５に記憶される。
【０１０３】
このようなファクシミリ装置１００でユーザがファクシミリ通信指示する際には、ユーザは、ファックス番号を操作／表示部１０４に直接入力してファックス送信を指示したり（図４に示すＦＡＸボタン４０３をタッチする）（直接入力機能）、或いは、操作／表示部１０４の画面に表示されるアドレス帳（短縮機能）タブ４０１より通信相手の短縮番号をタッチしてＦＡＸ４０３をタッチしたりする（短縮ダイヤル機能）。
【０１０４】
短縮ダイヤル機能によってファクシミリ送信が指示された場合には、選択された通信相手のアドレス帳に予め登録されている、短縮ダイヤルの際に適用されるアプリ系パラメータと短縮ダイヤルの際に適用される通信系パラメータとが適用されてファクシミリ通信が行われる。
【０１０５】
しかし、直接入力機能によってファクシミリ送信が指示された場合には、その指示によるファックス通信に適用されるパラメータは、予めアドレス帳に設定されている、短縮ダイヤルの際に適用されるアプリ系パラメータと短縮ダイヤルの際に適用される通信系パラメータとをそのまま適用してファクシミリ通信が行われるわけではない。
【０１０６】
以下、直接入力機能によってファクシミリ送信が指示された場合に適用されるアプリ系パラメータと通信系パラメータとについて、実施例１乃至３で説明を行う。
【０１０７】
尚、実施例１乃至３では、ファクシミリ装置１００のＲＯＭ１０２に、ファクシミリ装置１００を動作させるプログラムとしてそれぞれ異なるプログラムが記憶されていて、それぞれ異なる動作が実行される。
【実施例１】
【０１０８】
ファクシミリ装置１００における処理について説明する。
【０１０９】
まず、ファクシミリ装置１００における直接入力機能によってファクシミリ送信の指示がされた際の処理について図５を参照して説明する。
【０１１０】
図５は、ファクシミリ装置１００の処理を示すフローチャートである。
【０１１１】
第１実施例では、ＲＯＭ１０２に図５に示すフローチャートの処理が実行されるプログラムが記憶されているファクシミリ装置１００について説明する。
【０１１２】
ユーザは、画像読取部１０６に原稿を配置し、操作／表示部１０４より指示を行う。
【０１１３】
ユーザは、直接入力機能によってファクシミリ送信の指示を行う際には、操作／表示部１０４の画面より、ファックス番号を直接入力して、更に、所望する場合には、アプリ系パラメータの設定と通信系パラメータの設定とが可能である。
【０１１４】
また、ユーザは、パラメータの設定を行わずに、ファックス番号を入力してファクシミリ送信の指示を行ってもよい。
【０１１５】
直接入力機能を使用してファクシミリ通信指示するユーザは、操作／表示部１０４の画面より、ファックス番号の入力と、所望のアプリ系パラメータの設定と、所望の通信系パラメータの設定とを行った後に、ＦＡＸボタンをタッチしてファクシミリ送信の送信指示を行う（以下、送信指示との表現は、ここでＦＡＸボタンがタッチされる指示を指す）。
【０１１６】
操作／表示部１０４にファックス番号が入力されてＦＡＸボタンがタッチされファクシミリ送信が指示されると（ステップ５０１でＹＥＳ）、入力されたファックス番号でアドレス帳に登録されている宛先情報が宛先情報記憶部１０５に記憶されているか否かが確認される（ステップ５０２）。
【０１１７】
ステップ５０２の確認は、ＣＰＵ１０１によって、操作／表示部１０４に入力されたファックス番号が宛先情報記憶部１０５に記憶されている宛先情報のファックス番号と比較されて、同じファックス番号があるか否かが確認されることによって行われる。
【０１１８】
操作／表示部１０４に入力されたファックス番号が宛先情報記憶部１０５に記憶されるいずれかの宛先情報のファックス番号と同じである場合には（ステップ５０２でＹＥＳ）、ファックス番号が同じであった宛先の宛先情報として登録されているパラメータとユーザが送信指示の際に操作／表示部１０４より設定したパラメータとの比較が行われる（ステップ５０３）。
【０１１９】
ステップ５０３の処理は、まず、送信指示で入力されたファックス番号と同じファックス番号が宛先情報として宛先情報記憶部１０５に記憶されている宛先に設定されているアプリ系パラメータと通信系パラメータとが、ＣＰＵ１０１により宛先情報記憶部１０５より取得される。
【０１２０】
そして、ステップ５０３の処理は、宛先情報記憶部１０５より取得されたアプリ系パラメータと送信指示の際にユーザにより設定されたアプリ系パラメータとが比較され、また、宛先情報記憶部１０５より取得された通信系パラメータと送信指示の際にユーザにより設定された通信系パラメータとが比較されることによって行われる。
【０１２１】
その結果、宛先情報記憶部１０５より取得されたアプリ系パラメータ（宛先情報として登録されているアプリ系パラメータ）と送信指示の際に設定されたアプリ系パラメータとが異なる場合、或いは、宛先情報記憶部１０５より取得された通信系パラメータ（宛先情報として登録されている通信系パラメータ）と送信指示の際に設定された通信系パラメータとが異なる場合には（ステップ５０４でＹＥＳ）、次のステップ５０５の処理が行われる。  ステップ５０５では、送信指示されたファクシミリ通信に適用させるパラメータ設定を、アプリ系パラメータは送信指示の際に設定された内容とし、通信系パラメータは送信指示の際に入力されたファックス番号でアドレス帳に登録されている宛先に設定されている通信系パラメータの内容とする旨を、ユーザに表示し、その内容の確認をユーザに求める（ステップ５０５）。
【０１２２】
ユーザへの確認要求は、操作／表示部１０４に確認の内容が表示されて行われる（確認要求の具体的な文言は、例えば、「ユーザからの指示内容は、入力されたファクシミリ番号で短縮に登録されている内容とは異なります。アプリ系パラメータは指示内容を適用、通信系パラメータは短縮に登録されている内容を適用して通信を開始しますか？」である。）。
【０１２３】
ここで、確認要求の具体的な文言は、送信指示の際に入力されたファックス番号でアドレス帳に登録されている宛先に設定されているアプリ系パラメータを適用しない意味を明確にするために、「ユーザからの指示内容は、入力されたファクシミリ番号で短縮に登録されている内容とは異なります。アプリ系パラメータは短縮に登録されている内容を適用せずに指示内容を適用し、通信系パラメータは短縮に登録されている内容を適用して通信を開始しますか？」でもよい。
【０１２４】
ステップ５０５でユーザに確認させた内容のように、ファクシミリ装置１００で操作／表示部１０４より直接入力機能により送信指示がされた場合に適用予定となるパラメータは、アプリ系パラメータは送信指示の際に入力されたファックス番号でアドレス帳に登録されている宛先に設定されているアプリ系パラメータの内容ではなく送信指示の際に設定された内容であり、また、通信系パラメータは送信指示の際に入力されたファックス番号でアドレス帳に登録されている宛先に設定されている通信系パラメータの内容である。
【０１２５】
第１実施例において適用予定のパラメータとは、ステップ５０５でユーザに確認させる内容に記されるパラメータの設定であって、ファクシミリ送信に適用させるパラメータの設定のことを指す。
【０１２６】
そしてステップ５０５の確認要求に対してユーザから確認を得ると（ステップ５０５でＹＥＳ）、直接入力機能によるファクシミリ通信に設定するアプリ系パラメータは送信指示の際に操作／表示部１０４より設定されたアプリ系パラメータが適用されて、直接入力機能によるファクシミリ通信に設定する通信系パラメータは宛先情報記憶部１０５より取得された通信系パラメータ（アドレス帳に登録されている通信系パラメータ）が適用されて（ステップ５０６）、ファクシミリ送信される（ステップ５０７）。
【０１２７】
また、ステップ５０５の確認要求に対してユーザから確認を得られない場合には（ステップ５０５でＮＯ）、送信指示の際に操作／表示部１０４より設定されたアプリ系パラメータと送信指示の際に操作／表示部１０４より設定された通信系パラメータとが、操作／表示部１０４に表示される（ステップ５０８）。
【０１２８】
ステップ５０８で操作／表示部１０４に表示されたアプリ系パラメータと通信系パラメータとをユーザが変更希望しない場合には（ステップ５０９でＮＯ）、ステップ５０８で操作／表示部１０４に表示されたアプリ系パラメータと通信系パラメータとが適用されて（ステップ５１０）、ファクシミリ送信される（ステップ５０７）。
【０１２９】
また、ステップ５０８で操作／表示部１０４に表示されたアプリ系パラメータと通信系パラメータとに対して、ユーザが変更を希望する場合には（ステップ５０９でＹＥＳ）、操作／表示部１０４よりパラメータの変更をユーザから受け付けて（ステップ５１１）、その受け付けたパラメータを適用して（ステップ５１２）、ファクシミリ送信される（ステップ５０７）。
【０１３０】
また、ステップ５０４で、宛先情報記憶部１０５より取得されたアプリ系パラメータと送信指示の際に操作／表示部１０４より設定されたアプリ系パラメータとが同じでかつ宛先情報記憶部１０５より取得された通信系パラメータ（アドレス帳に登録されている通信系パラメータ）と送信指示の際に操作／表示部１０４より設定された通信系パラメータとが同じ場合には（ステップ５０４でＮＯ）、送信指示の際に操作／表示部１０４より設定されたアプリ系パラメータと通信系パラメータとが適用されて（ステップ５１３）、ファクシミリ送信される（ステップ５０７）。
【０１３１】
また、ステップ５０２で、送信指示の際に操作／表示部１０４より入力されたファックス番号でアドレス帳に登録されている宛先情報がない場合には（ステップ５０２でＮＯ）、操作／表示部１０４より設定されたアプリ系パラメータと操作／表示部１０４より設定された通信系パラメータとが適用されて（ステップ５１３）、ファクシミリ送信される（ステップ５０７）。
【０１３２】
また、そもそも、直接入力機能によるファクシミリ送信の指示でない場合（ステップ５０１でＮＯ）には、短縮ダイヤル機能が利用されるので、アドレス帳より指示された宛先に対して、その宛先の宛先情報として宛先情報記憶部１０５に記憶される短縮ダイヤルの際に適用されるアプリ系パラメータと短縮ダイヤルの際に適用される通信系パラメータとが適用されて（ステップ５１３）、ファクシミリ送信される（ステップ５０７）。
【０１３３】
このように、ファクシミリ装置１００では、直接入力機能によってファクシミリ送信の指示がされた際に適用予定のアプリ系パラメータは、アドレス帳に登録された内容ではなく送信指示の際に操作／表示部１０４より入力されたアプリ系パラメータが優先的に適用される構成であるので、送信指示の際に入力されたファックス番号でアドレス帳に登録されている宛先情報の短縮ダイヤルの際に適用されるアプリ系パラメータがユーザの意図せずに適用されて意図しないファクシミリ送信が行われることが防止される。
【０１３４】
次に、図５を参照して説明したファクシミリ装置１００の処理について、操作／表示部１０４での操作画面を参照して説明する。
【０１３５】
まず、ファクシミリ装置１００で行われる処理について図６を参照して説明を行う。
【０１３６】
図６は、直接入力機能によってファクシミリ送信が指示される場合の操作／表示部１０４の画面遷移を示す操作／表示部１０４の画面構成図である。
【０１３７】
ユーザは、直接入力機能によってファクシミリ送信を指示する場合、図６（ａ）に示すように、操作／表示部１０４からファックス番号を直接入力する（参照番号６０１）。
【０１３８】
そして、ユーザが操作／表示部１０４よりパラメータの設定を行わない場合には、ファックス番号の入力後に、ＯＫボタン６０２をタッチする。
【０１３９】
すると、ファクシミリ装置１００では、図５を参照して説明したステップ５０３の処理である、宛先情報記憶部１０５より取得されたアプリ系パラメータと送信指示の際に操作／表示部１０４より設定されたアプリ系パラメータとの比較と宛先情報記憶部１０５より取得された通信系パラメータと送信指示の際に操作／表示部１０４より設定された通信系パラメータとの比較とが行われる。
【０１４０】
そして、ステップ５０４の比較の結果異なる場合に（図５を参照して説明したステップ５０４でＹＥＳに相当）、操作／表示部１０４に、適用予定のパラメータをユーザに確認させる画面が表示される（図５を参照して説明したステップ５０５に相当）。
【０１４１】
適用予定のパラメータをユーザに確認させる画面上には、図６（ｂ）に示すように、適用予定のパラメータをユーザに確認させる文言（参照番号６０３）と、通信先のファックス番号（参照番号６１１）と、通信先の宛先名（参照番号６１２）と、適用予定のパラメータ（参照番号６０４）と、ユーザが適用予定のパラメータを適用してファクシミリ送信を開始させる際にタッチするＯＫボタン６０５と、ユーザがパラメータの変更を所望する際にタッチするパラメータ変更ボタン６１３と、ファクシミリ送信をキャンセルするキャンセルボタン６１４とが表示される。
【０１４２】
適用予定のパラメータは、アプリ系パラメータは送信指示の際に操作／表示部１０４より設定された内容であり、通信系パラメータは操作／表示部１０４より入力されたファックス番号が宛先情報としてアドレス帳に登録されている宛先に設定されている通信系パラメータの内容である。
【０１４３】
適用予定のパラメータをユーザに確認させる文言（参照番号６０３）は、「ユーザからの指示内容は、入力されたファクシミリ番号で短縮に登録されている内容とは異なります。アプリ系パラメータは指示内容を適用、通信系パラメータは短縮に登録されている内容を適用して通信を開始しますか？」である。
【０１４４】
適用予定のパラメータをユーザに確認させる画面上には、適用予定パラメータがアプリ系パラメータと通信系パラメータとに分けて表示され、更に、適用予定のパラメータでデフォルト状態と異なるパラメータの表示も行われる（図６（ｂ）に示す例では、通信系パラメータについて「通信モード：Ｇ４」がデフォルト状態と異なるパラメータとして表示されている。（参照番号６０６））。
【０１４５】
ユーザは、操作／表示部１０４に表示された、ユーザへの確認の文言（参照番号６０３）と、適用予定のアプリ系パラメータと通信系パラメータ（参照番号６０４）等を確認する。
【０１４６】
ユーザは、送信指示に際しては、図６（ａ）に示すように、ファックス番号を操作／表示部１０４に直接入力した後に操作／表示部１０４よりパラメータの設定は行っていないので、適用予定のアプリ系パラメータはデフォルト状態となり、また、適用予定の通信系パラメータは宛先情報記憶部１０５より取得された通信系パラメータ（短縮に登録された短縮登録内容）となる。  ユーザがファクシミリ送信の指示の際に直接入力した番号は、「123-456-7890」であり、その番号は、宛先情報記憶部１０５に宛先名「＠＠会社」、短縮登録番号「006」として同じファックス番号が登録されている（図２乃至４を参照して説明した）。  そして、その短縮登録番号「006」に登録されている宛先情報は、短縮ダイヤルの際に適用されるアプリ系パラメータは「親展通信：003」であり、短縮ダイヤルの際に適用される通信系パラメータは「通信モード：Ｇ４」である。  それで、入力されたファックス番号に基づき宛先情報記憶部１０５より取得される通信系パラメータである「通信モード：Ｇ４」が適用予定の通信系パラメータとなる。
【０１４７】
ユーザは、確認の文言（参照番号６０３）と適用予定のアプリ系パラメータと通信系パラメータ（参照番号６０４）等を視認した後に、ＯＫボタン６０５をタッチする。
【０１４８】
すると、直接入力されたファックス番号へ、アプリ系パラメータは装置に設定されているデフォルト状態、通信系パラメータはデフォルトとは異なる点が「通信モード：Ｇ４」となるパラメータが適用されてファクシミリ送信が開始される。
【０１４９】
すると、操作／表示部１０４の画面は、図６（ｃ）に示すように、通信中を示す画面に遷移する。
【０１５０】
すなわち、通信中を示す画面は、図６（ｃ）に示すように、通信先のファックス番号と（参照番号６０７）、通信先の宛先名と（参照番号６０８）、短縮登録番号と（参照番号６０９）、適用されるパラメータでデフォルト状態と異なるパラメータがアプリ系パラメータと通信系パラメータとについて表示される（参照番号６１０）。
【０１５１】
このようにして直接入力機能によってファクシミリ通信が指示されて、入力されたファックス番号がアドレス帳に登録されている番号である場合に、アドレス帳にその番号として共に登録されている通信系パラメータが適用されてファクシミリ送信されることがファクシミリ装置１００にある。
【０１５２】
次に、ファクシミリ装置１００において、操作／表示部１０４よりファックス番号の入力とアプリ系パラメータ若しくは通信系パラメータの設定が行われてファクシミリ送信が行われる処理について図７乃至９を参照して説明を行う。
【０１５３】
図７乃至９は、操作／表示部１０４よりファックス番号の入力とアプリ系パラメータ若しくは通信系パラメータの設定が行われてファクシミリ送信が行われる場合の操作／表示部１０４での画面遷移を示す操作／表示部１０４の画面構成図である。
【０１５４】
ユーザは、操作／表示部１０４より、宛先のファックス番号を入力する。
【０１５５】
そして、ユーザは、所望のパラメータの設定を操作／表示部１０４より行う。
【０１５６】
まず、ユーザはアプリ系パラメータの設定を行う為に、操作／表示部１０４の画面上のアプリ系パラメータ設定タブ７０１内の項目より、所望のパラメータの項目をタッチする。
【０１５７】
ここでは、ユーザが「送信部数設定通信」についてのアプリ系パラメータを設定するものとして説明する。
【０１５８】
ユーザは、図７（ａ）に示すように、アプリ系パラメータ設定内の「送信部数設定通信」の項目をタッチすると、送信部数設定通信設定画面７０２が新たに表示される。
【０１５９】
ユーザは、図７（ｂ）に示すように、新たに表示された送信部数設定通信設定画面７０２より送信部数設定通信の内容を設定して（ここでは送信部数設定通信：３部）、ＯＫボタン７０３をタッチする。
【０１６０】
結果として、ユーザは、操作／表示部１０４より、図７（ｃ）に示すように、送信先のファックス番号の入力（参照番号７０４）と、アプリ系パラメータとして「送信部数設定通信：３部」の設定（参照番号７０５）を行った。そして、図７（ｃ）に示すように、ＦＡＸボタン７０６をタッチして、ファクシミリ送信を開始させる指示を行う。
【０１６１】
すると、ファクシミリ装置１００では、入力されたファックス番号がアドレス帳に登録されているか否かを確認する処理（図５を参照して説明したステップ５０２の処理）がされ、その後、ユーザにより送信指示の際に設定されたパラメータと、入力されたファックス番号でアドレス帳に登録されている宛先に登録される短縮ダイヤルの際に適用させるパラメータ（アプリ系パラメータと通信系パラメータ）とが比較される（図５を参照して説明したステップ５０３に相当）。
【０１６２】
比較の結果、異なるパラメータが存在する場合には（図５を参照して説明したステップ５０４でＹＥＳに相当）、図８（ａ）に示すように、操作／表示部１０４に、アプリ系パラメータは操作／表示部１０４より設定されたパラメータを適用し、通信系パラメータは操作／表示部１０４より入力されたファックス番号が宛先情報としてアドレス帳に登録されている宛先に設定されている通信系パラメータを適用することをユーザに確認させる画面（適用予定のパラメータをユーザに確認させる画面）が表示される（図５を参照して説明したステップ５０５に相当）。
【０１６３】
適用予定のパラメータをユーザに確認させる画面上には、図８（ａ）に示すように、適用予定のパラメータをユーザに確認させる文言（参照番号８０１）と、通信先のファックス番号（参照番号８１２）と、通信先の宛先名（参照番号８１３）と、適用予定のパラメータ（参照番号８０２）と、ユーザが適用予定のパラメータを適用してファクシミリ送信を開始させる際にタッチするＯＫボタン８０４と、ユーザがパラメータの変更を所望する際にタッチするパラメータ変更ボタン８０５と、ファクシミリ送信をキャンセルするキャンセルボタン８１４とが表示される。
【０１６４】
適用予定のパラメータは、アプリ系パラメータは送信指示の際に操作／表示部１０４より設定された内容であり、通信系パラメータは操作／表示部１０４より入力されたファックス番号が宛先情報としてアドレス帳に登録されている宛先に設定されている通信系パラメータの内容である。
【０１６５】
適用予定のパラメータをユーザに確認させる文言（参照番号８０１）は、「ユーザからの指示内容は、入力されたファクシミリ番号で短縮に登録されている内容とは異なります。アプリ系パラメータは指示内容を適用、通信系パラメータは短縮に登録されている内容を適用して通信を開始しますか？」である。
【０１６６】
適用予定のパラメータをユーザに確認させる画面上には、適用予定パラメータがアプリ系パラメータと通信系パラメータとに分けて表示され、更に、適用予定のパラメータでデフォルト状態と異なるパラメータの表示も行われる（図８（ｂ）に示す例では、デフォルト状態と異なるパラメータとして、アプリ系パラメータでは「通信部数：３部」、通信系パラメータでは「通信モード：Ｇ４」が表示されている（参照番号８０３））。
【０１６７】
ユーザは、操作／表示部１０４に表示された、ユーザへの確認の文言（参照番号８０１）と、適用予定のアプリ系パラメータと通信系パラメータ（参照番号８０２）等を確認する。
【０１６８】
ユーザは、送信指示に際しては、図８（ａ）に示すように、ファックス番号を操作／表示部１０４に直接入力して、更に、アプリ系パラメータとして操作／表示部１０４より「送信部数設定通信：３部」の設定を行っている。
【０１６９】
それで、適用予定のパラメータは、アプリ系パラメータはユーザが操作／表示部１０４より設定した「送信部数設定通信：３部」となり、通信系パラメータは操作／表示部１０４より入力されたファックス番号でアドレス帳に登録されていた「通信モード：Ｇ４」となる。
【０１７０】
ユーザは、確認の文言（参照番号８０１）と適用予定のアプリ系パラメータと通信系パラメータ（参照番号８０３）等を確認した後に、表示された適用予定のパラメータを適用させてファクシミリ送信を開始させる場合にはＯＫボタン８０４をタッチする。
【０１７１】
すると、直接入力されたファックス番号へ、アプリ系パラメータはデフォルトとは異なる点として「送信部数設定通信：３部」が適用されて、通信系パラメータはデフォルトとは異なる点が「通信モード：Ｇ４」が適用されてファクシミリ送信が開始される。
【０１７２】
そして、操作／表示部１０４の画面は、図８（ｂ）に示すように、通信中を示す画面に遷移する。
【０１７３】
すなわち、通信中を示す画面は、図８（ｂ）に示すように、通信先のファックス番号と（参照番号８０５）、通信先の宛先名と（参照番号８０６）、短縮登録番号と（参照番号８０７）、適用されるパラメータでデフォルト状態と異なるパラメータがアプリ系パラメータと通信系パラメータとについて表示される（参照番号８０８）。
【０１７４】
このように直接入力機能によってファックス番号が入力されて、図８（ａ）を参照して説明したユーザに確認させる画面よりＯＫボタン８０４がタッチされれば、アプリ系パラメータは操作／表示部１０４から設定された内容が適用され、通信系パラメータは操作／表示部１０４より入力されたファックス番号が宛先情報としてアドレス帳に登録されている宛先に設定されている通信系パラメータが適用されてファクシミリ送信される。
【０１７５】
また、直接入力機能によってファックス番号が入力されて、図８（ａ）を参照して説明したユーザに確認させる画面よりユーザがＯＫボタン８０４をタッチせずに、同じ画面に表示されているパラメータ変更ボタン８０９をタッチすれば、適用予定のパラメータを変更することが可能となる。  ここで、ユーザがパラメータ変更ボタン８０９をタッチする行為は、図５を参照して説明したフローチャートのステップ５０５でＮＯの処理に相当する。
【０１７６】
パラメータ変更ボタン８０９がタッチされると（図５を参照して説明したステップ５０５でＮＯに相当）、操作／表示部１０４では画面が遷移し、図８（ｃ）に示すように、ユーザが操作／表示部１０４よりファックス番号を入力した際に設定したパラメータが表示される。
【０１７７】
ユーザが操作／表示部１０４よりファックス番号を入力した際に設定したパラメータは、図７（ａ）、（ｂ）、（ｃ）を参照して説明したように、アプリ系パラメータの「送信部数設定通信：３部」だけであるので、パラメータ変更ボタン８０５がタッチされて表示される画面上に、アプリ系パラメータとして「通信部数：３部」（参照番号８０９）が、通信系パラメータとして「デフォルト」が（参照番号８１０）表示される。
【０１７８】
パラメータ変更ボタン８０５がタッチされて表示される画面には、次のような文言も表示される。すなわち、「ユーザが指示したパラメータを表示します。このパラメータの適用でよければ「送信ボタン」をタッチして下さい。変更を希望する場合は「変更ボタン」をタッチして下さい。」である。
【０１７９】
パラメータ変更ボタン８０５がタッチされて表示される画面上の送信ボタン８１２がタッチされると（図５を参照して説明したフローチャートのステップ５０９でＮＯに相当）、その画面上に表示されるパラメータが適用されてファクシミリ送信が開始される。
【０１８０】
パラメータ変更ボタン８０５がタッチされて表示された画面上で、ユーザがパラメータの変更を所望して変更ボタン８１１をタッチすると（図５を参照して説明したステップ５０９でＹＥＳに相当）、パラメータ変更画面９０１が新たに表示される。
【０１８１】
パラメータ変更画面９０１では、送信指示の際に入力されたファックス番号と、そのファックス番号でアドレス帳に登録されている宛先情報の宛先名と、そのファックス番号でアドレス帳に登録されている宛先情報の短縮番号とが表示され、更に、アプリ系パラメータ設定タブ９０２、通信系パラメータ設定タブ９０３が表示されている。
【０１８２】
ユーザは、パラメータ変更画面９０１で所望の変更を行い、パラメータ変更画面９０１上のＯＫボタン９０４をタッチしてパラメータ変更画面９０１を閉じる。
【０１８３】
すると、「ユーザが指示したパラメータを表示します。このパラメータの適用でよければ「送信ボタン」をタッチして下さい。変更を希望する場合は「変更ボタン」をタッチして下さい。」の文言と、送信指示の際に入力されたファックス番号と、そのファックス番号でアドレス帳に登録されている宛先情報の宛先名と、そのファックス番号でアドレス帳に登録されている宛先情報の短縮番号と、適用予定のアプリ系パラメータ（デフォルト状態と異なるパラメータと全パラメータ）と、適用予定の通信系パラメータ（デフォルト状態と異なるパラメータと全パラメータ）とが表示される。
【０１８４】
そして、送信ボタン９０４がタッチされると、表示されたパラメータが適用されてファックス通信が開始され、操作／表示部１０４の画面が送信中を示す画面に遷移する。
【０１８５】
送信中を示す画面には、図９（ｃ）に示すように、「送信中」の文言と、送信指示の際に入力されたファックス番号、そのファックス番号でアドレス帳に登録されている宛先情報の宛先名と、そのファックス番号でアドレス帳に登録されている宛先情報の短縮番号と、適用予定のパラメータでデフォルト状態と異なるパラメータとが表示される。
【０１８６】
ここで、図６を参照して説明した送信指示と、図７を参照して説明した送信指示とについて、適用予定となるパラメータをまとめて図１０を参照して説明する。
【０１８７】
図１０は、図６と図７とを参照して説明した送信指示とその送信指示での適用予定のパラメータとを示す表であり、図１０（ａ）はファクシミリ装置１００に設定されるデフォルト状態のパラメータと短縮番号「006」に設定されているパラメータとを示す表であり、図１０（ｂ）は図６を参照して説明した送信指示の内容とその場合に適用予定のパラメータとを示す表であり、図１０（ｃ）は図７を参照して説明した送信指示の内容とその場合に適用予定のパラメータとを示す表である。
【０１８８】
まず、ファクシミリ装置１００には、図１０（ａ）に示すように、デフォルト状態でファクシミリ送信の際に適用させるパラメータは、アプリ系パラメータは設定無しであり、通信系パラメータは「通信モード：Ｇ３」が設定されているものとして説明を行う。
【０１８９】
また、ファクシミリ装置１００には、アドレス帳に、短縮番号「006」の宛先情報が登録されており、その宛先情報には、短縮ダイヤルの際に適用させるアプリ系パラメータとして「親展通信：003」が登録されており、また、短縮ダイヤルの際に適用させる通信系パラメータとして「通信モード：Ｇ４」が登録されている。
【０１９０】
図１０（ａ）に示すような設定がなされているファクシミリ装置１００において、図６を参照して説明した送信指示の際に適用予定となるパラメータと、図７を参照して説明した送信指示の際に適用予定となるパラメータとについて説明する。
【０１９１】
すなわち、図６を参照して説明した送信指示の際には（指示１とする）、操作／表示部１０４よりファックス番号だけが入力され、操作／表示部１０４よりパラメータの設定は行われない（図１０（ｂ））。
【０１９２】
ファクシミリ装置１００で操作／表示部１０４より直接入力機能により送信指示がされた場合に適用予定となるパラメータは、アプリ系パラメータは送信指示の際に操作／表示部１０４より設定されたアプリ系パラメータが適用予定となり、また、通信系パラメータは送信指示の際に入力されたファックス番号でアドレス帳に登録されている宛先に設定されている通信系パラメータが適用予定となる。
【０１９３】
よって、指示１での送信指示がされて適用予定となるパラメータは、図１０（ｂ）に示すように、アプリ系パラメータは送信指示の際に設定されたアプリ系パラメータである「適用無し」の状態（デフォルト状態）であり、通信系パラメータは送信指示の際に入力されたファックス番号でアドレス帳に登録されている宛先に設定されている通信系パラメータである「通信モード：Ｇ４」となる。
【０１９４】
また、図１０を参照して説明した送信指示の際には（指示２とする）、操作／表示部１０４よりファックス番号が入力され、操作／表示部１０４よりアプリ系パラメータとして「送信部数設定通信：３部」だけが設定される（図１０（ｃ））。
【０１９５】
よって、指示２での送信指示がされて適用予定となるパラメータは、図１０（ｃ）に示すように、アプリ系パラメータは送信指示の際に設定されたアプリ系パラメータである「送信部数設定通信：３部」となり、通信系パラメータは送信指示の際に入力されたファックス番号でアドレス帳に登録されている宛先に設定されている通信系パラメータである「通信モード：Ｇ４」となる。
【０１９６】
尚、操作／表示部１０４に表示されるパラメータは、アプリ系パラメータと通信系パラメータとに分けて表示されるように説明したが、分けて表示されなくてもよい。その際にパラメータをアプリ系パラメータと通信系パラメータとに選別する機能は、ＣＰＵ１０１が担う。
【実施例２】
【０１９７】
次に、第１実施例で説明した処理を実行するファックスプログラムとは異なるファックスプログラムが、ファクシミリ装置１００のＲＯＭ１０２に記憶されているファクシミリ装置１００について、以下説明する。
【０１９８】
まず、ファクシミリ装置１００における直接入力機能によってファクシミリ送信の指示がされた際に行われる処理について図１１を参照して説明する。
【０１９９】
図１１は、ファクシミリ装置１００の処理を示すフローチャートである（第２実施例）。
【０２００】
第２実施例では、ＲＯＭ１０２に図１１に示すフローチャートの処理を実行させるプログラムが記憶されているファクシミリ装置１００について説明する。
【０２０１】
ユーザは、画像読取部１０６に原稿を配置する。
【０２０２】
そして、ユーザは操作／表示部１０４より指示を行う。
【０２０３】
直接入力機能によってファクシミリ送信の指示を行うユーザは、操作／表示部１０４の画面より、ファックス番号を直接入力し、更に、所望する場合には、アプリ系パラメータの設定と通信系パラメータの設定とを行って、ＦＡＸボタンをタッチしてファクシミリ送信の指示を行う（以下、第２実施例における送信指示との表現はここでＦＡＸボタンがタッチされる指示を指す）。
【０２０４】
操作／表示部１０４にファックス番号が入力されてＦＡＸボタンがタッチされファクシミリ送信が指示されると（ステップ１１０１でＹＥＳ）、送信指示の際に設定されたパラメータ（アプリ系パラメータと通信系パラメータ）と、ファクシミリ装置１００にデフォルト状態でファクシミリ送信時に適用されるパラメータとの比較が行われる（ステップ１１０２）。
【０２０５】
その結果、送信指示の際に設定されたパラメータと、デフォルト状態でファクシミリ送信時に適用されるパラメータとが異なっている場合には（ステップ１１０３でＹＥＳ）、次のステップ１１０４の処理が行われる。
【０２０６】
ステップ１１０４では、適用予定のパラメータを、アプリ系パラメータは送信指示の際に設定された内容とし、通信系パラメータはデフォルト状態で適用されるパラメータの内容とする旨を、ユーザに表示し、その内容の確認をユーザに求める（ステップ１１０４）。
【０２０７】
ユーザへの確認要求は、操作／表示部１０４に確認の内容が表示されて行われる（確認要求の具体的な文言は、例えば、「ユーザからの指示内容は、装置に設定されるデフォルト状態とは異なります。アプリ系パラメータは指示内容を適用、通信系パラメータはデフォルト状態の内容を適用して通信を開始しますか？」である。）。
【０２０８】
第２実施例において適用予定のパラメータとは、ステップ１１０４でユーザに確認させる内容に記されるパラメータの設定であって、ファクシミリ送信に適用させるパラメータの設定のことを指す。
【０２０９】
そしてステップ１１０４の確認要求に対してユーザから確認を得ると（ステップ１１０４でＹＥＳ）、ファクシミリ通信に設定するアプリ系パラメータは送信指示の際に操作／表示部１０４より設定されたアプリ系パラメータが適用されて、ファクシミリ通信に設定する通信系パラメータはデフォルト状態のファクシミリ送信の際に適用されるパラメータが適用されて（ステップ１１０５）、ファクシミリ送信される（ステップ１１０６）。
【０２１０】
また、ステップ１１０４の確認要求に対してユーザから確認を得られない場合には（ステップ１１０４でＮＯ）、送信指示の際に操作／表示部１０４より設定されたパラメータ（アプリ系パラメータと通信系パラメータ）が、操作／表示部１０４に表示される（ステップ１１０７）。
【０２１１】
ステップ１１０７で操作／表示部１０４に表示されたアプリ系パラメータと通信系パラメータとをユーザが変更希望しない場合には（ステップ１１０８でＮＯ）、ステップ１１０７で操作／表示部１０４に表示されたアプリ系パラメータと通信系パラメータとが適用されて（ステップ１１０９）、ファクシミリ送信される（ステップ１１０６）。
【０２１２】
また、ステップ１１０７で操作／表示部１０４に表示されたアプリ系パラメータと通信系パラメータとに対して、ユーザが変更を希望する場合には（ステップ１１０８でＹＥＳ）、操作／表示部１０４よりパラメータの変更をユーザから受け付けて（ステップ１１１０）、その受け付けたパラメータを適用して（ステップ１１１１）、ファクシミリ送信される（ステップ１１０６）。
【０２１３】
また、ステップ１１０３で、送信指示の際に操作／表示部１０４から設定されたパラメータがデフォルト状態でのファクシミリ送信に適用されるパラメータと同じ場合には（ステップ１１０３でＮＯ）、デフォルト状態でのファクシミリ送信の際に適用されるパラメータが適用されて（ステップ１１１２）、ファクシミリ送信される（ステップ１１０６）。
【０２１４】
また、そもそも、直接入力機能によるファクシミリ送信の指示でない場合（ステップ１１０１でＮＯ）には、短縮ダイヤル機能が利用されるので、その際には短縮ダイヤルの際に適用されるパラメータ（宛先情報として宛先情報記憶部１０５に記憶される）が適用されて（ステップ１１１２）、ファクシミリ送信される（ステップ１１０６）。
【０２１５】
次に、図１１を参照して説明したファクシミリ装置１００の処理について、操作／表示部１０４での操作画面を参照して説明する。
【０２１６】
ファクシミリ装置１００で行われる処理について図１２を説明を行う。
【０２１７】
図１２は、直接入力機能によってファクシミリ送信が指示される場合の操作／表示部１０４の画面遷移を示す操作／表示部１０４の画面構成図である。
【０２１８】
ユーザは、直接入力機能によってファクシミリ送信を指示する場合、図１２（ａ）に示すように、操作／表示部１０４からファックス番号を直接入力する（参照番号１２０１）。
【０２１９】
そして、ユーザは、所望のパラメータの設定を操作／表示部１０４より行う。ここでは、アプリ系パラメータとして「送信部数設定通信：３部」（参照番号１２０２）が設定されたものとして説明を行う。
【０２２０】
ユーザは、図１２（ａ）に示すように、ＦＡＸボタン１３０３をタッチして、ファクシミリ送信を開始させる指示を行う（送信指示）。
【０２２１】
すると、ファクシミリ装置１００では、ユーザにより送信指示の際に設定されたパラメータと、ファクシミリ装置１００にデフォルト状態でのファクシミリ送信の際に適用されるパラメータとが比較される（図１１を参照して説明したステップ１１０２に相当）。
【０２２２】
比較の結果、異なるパラメータが存在する場合には（図１１を参照して説明したステップ１１０３でＹＥＳに相当）、図１２（ｂ）に示すように、操作／表示部１０４に、アプリ系パラメータは送信指示の際に操作／表示部１０４より設定されたパラメータを適用し、通信系パラメータはデフォルト状態でのファクシミリ送信に適用されるパラメータを適用とすることをユーザに確認させる画面（適用予定のパラメータをユーザに確認させる画面）が表示される（図１１を参照して説明したステップ１１０４に相当）。
【０２２３】
適用予定のパラメータをユーザに確認させる画面上には、図１２（ｂ）に示すように、適用予定のパラメータをユーザに確認させる文言（参照番号１２０３）と、通信先のファックス番号（参照番号１２１２）と、通信先の宛先名（参照番号１２１３）と、適用予定のパラメータ（参照番号１２０４）と、ユーザが適用予定のパラメータを適用してファクシミリ送信を開始させる際にタッチするＯＫボタン１２０７と、ユーザがパラメータの変更を所望する際にタッチするパラメータ変更ボタン１２１４と、ファクシミリ送信をキャンセルするキャンセルボタン１２１５とが表示される。
【０２２４】
適用予定のパラメータは、アプリ系パラメータは送信指示の際に操作／表示部１０４より設定された内容であり、通信系パラメータはファクシミリ装置１００のデフォルト状態でのファクシミリ送信に適用される通信系パラメータの内容である。
【０２２５】
適用予定のパラメータをユーザに確認させる文言（参照番号１２０３）は、「ユーザからの指示内容は、装置に設定されるデフォルト状態とは異なります。アプリ系パラメータは指示内容を適用、通信系パラメータはデフォルト状態での内容を適用して通信を開始しますか？」である。
【０２２６】
適用予定のパラメータをユーザに確認させる画面上には、適用予定パラメータがアプリ系パラメータと通信系パラメータとに分けて表示され、更に、適用予定のパラメータでデフォルト状態と異なるパラメータの表示も行われる（図１２（ｂ）に示す例では、デフォルト状態と異なるパラメータとして、アプリ系パラメータの「通信部数：３部」が表示される（参照番号１２０５）。  通信系パラメータはデフォルト状態が適用予定のパラメータであるので、「デフォルト」と表示される（参照番号１２０６））。
【０２２７】
ユーザは、操作／表示部１０４に表示された、ユーザへの確認の文言（参照番号１２０３）と、適用予定のアプリ系パラメータと通信系パラメータ（参照番号１２０４）等を確認する。
【０２２８】
ユーザは、送信指示に際しては、図１２（ａ）に示すように、ファックス番号を操作／表示部１０４に直接入力して（参照番号１２０１）、更に、アプリ系パラメータとして操作／表示部１０４より「送信部数設定通信：３部」の設定を行っている（参照番号１２０２）。
【０２２９】
それで、適用予定のパラメータは、アプリ系パラメータはユーザが操作／表示部１０４より設定した「送信部数設定通信：３部」となり、通信系パラメータはデフォルト状態に適用されるパラメータとなる。
【０２３０】
ユーザは、確認の文言（参照番号１２０３）と適用予定のアプリ系パラメータと通信系パラメータ（参照番号１２０４）等を視認した後に、表示された適用予定のパラメータを適用させてファクシミリ送信を開始させる場合にはＯＫボタン１２０７をタッチする。
【０２３１】
すると、直接入力されたファックス番号へ、アプリ系パラメータはデフォルトとは異なる点として「送信部数設定通信：３部」が適用されて、通信系パラメータはデフォルト状態に適用されるパラメータが適用されてファクシミリ送信が開始される。
【０２３２】
すると、操作／表示部１０４の画面は、図１２（ｃ）に示すように、通信中を示す画面に遷移する。
【０２３３】
通信中を示す画面には、図１２（ｃ）に示すように、通信先のファックス番号と（参照番号１２０８）、通信先の宛先名と（参照番号１２０９）、短縮登録番号と（参照番号１２１０）、適用されるパラメータでデフォルト状態と異なるアプリ系パラメータが表示される（参照番号１２１１）。
【０２３４】
このように直接入力機能によってファックス番号が入力されて、図１２（ｂ）を参照して説明したユーザに確認させる画面よりＯＫボタン１２０７がタッチされれば、アプリ系パラメータは送信指示の際に操作／表示部１０４から設定された内容が適用され、通信系パラメータはデフォルト状態で適用されるパラメータが適用されてファクシミリ送信される。
【０２３５】
次に、図１２（ａ）を参照して説明した送信指示での適用予定のパラメータについて図１３を参照して説明する。
【０２３６】
図１３は、適用予定のパラメータを示す表であり、図１３（ａ）はファクシミリ装置１００に設定されるデフォルト状態のパラメータと短縮番号「006」に設定されているパラメータとを示す表であり、図１３（ｂ）は図１２（ａ）を参照して説明した送信指示での適用予定のパラメータを示す表である。
【０２３７】
まず、ファクシミリ装置１００には、図１３（ａ）に示すように、デフォルト状態でのファクシミリ送信の際に適用させるパラメータは、アプリ系パラメータは設定無しであり、通信系パラメータは「通信モード：Ｇ３」が設定されているものとして説明を行う。
【０２３８】
また、ファクシミリ装置１００には、アドレス帳に、短縮番号「006」の宛先情報が登録されており、その宛先情報には、短縮ダイヤルの際に適用させるアプリ系パラメータとして「親展通信：003」が登録されており、また、短縮ダイヤルの際に適用させる通信系パラメータとして「通信モード：Ｇ４」が登録されている。
【０２３９】
すなわち、図１２（ａ）を参照して説明した送信指示の際には（指示３とする）、操作／表示部１０４よりファックス番号が入力され、操作／表示部１０４よりアプリ系パラメータとして、「送信部数設定通信：３部」が設定される（図１３（ｂ））。
【０２４０】
ファクシミリ装置１００で操作／表示部１０４より直接入力機能により送信指示がされた場合に適用予定となるパラメータは、アプリ系パラメータは送信指示の際に操作／表示部１０４より設定されたパラメータが適用予定であり、また、通信系パラメータはデフォルト状態でのファクシミリ送信の際に適用されるパラメータが適用予定である。
【０２４１】
よって、指示３での送信指示がされて適用予定となるパラメータは、図１０（ｂ）に示すように、アプリ系パラメータは送信指示の際に設定されたアプリ系パラメータである「送信部数設定通信：３部」であり、通信系パラメータはデフォルト状態のファクシミリ送信の際に適用される「通信モード：Ｇ３」が適用予定となる。
【０２４２】
尚、操作／表示部１０４に表示されるパラメータは、アプリ系パラメータと通信系パラメータとに分けて表示されるように説明したが、分けて表示されなくてもよい。その際にパラメータをアプリ系パラメータと通信系パラメータとに選別する機能は、ＣＰＵ１０１が担う。
【実施例３】
【０２４３】
次に、第１実施例や第２実施例で説明した処理を実行するファックスプログラムとは異なるファックスプログラムが、ファクシミリ装置１００のＲＯＭ１０２に記憶されているファクシミリ装置１００について、以下説明する。
【０２４４】
ファクシミリ装置１００における直接入力機能によってファクシミリ送信の指示がされた際に行われる処理について図１４を参照して説明する。
【０２４５】
図１４は、ファクシミリ装置１００の処理を示すフローチャートである（第３実施例）。
【０２４６】
第３実施例では、ＲＯＭ１０２に図１４に示すフローチャートの処理を実行させるプログラムが記憶されているファクシミリ装置１００について説明する。
【０２４７】
ユーザは、画像読取部１０６に原稿を配置する。
【０２４８】
そして、ユーザは操作／表示部１０４より指示を行う。
【０２４９】
直接入力機能によってファクシミリ送信の指示を行うユーザは、操作／表示部１０４の画面より、ファックス番号を直接入力し、更に、所望する場合には、アプリ系パラメータの設定と通信系パラメータの設定とを行って、ＦＡＸボタンをタッチしてファクシミリ送信の指示を行う（以下、第３実施例における送信指示との表現はここでＦＡＸボタンがタッチされる指示を指す）。
【０２５０】
操作／表示部１０４にファックス番号が入力されてＦＡＸボタンがタッチされファクシミリ送信が指示されると（ステップ１４０１でＹＥＳ）、入力されたファックス番号でアドレス帳に登録されている宛先情報が宛先情報記憶部１０５に記憶されているか否かが確認される（ステップ１４０２）。
【０２５１】
ステップ１４０２の確認は、ＣＰＵ１０１によって、操作／表示部１０４に入力されたファックス番号が宛先情報記憶部１０５に記憶されている宛先情報のファックス番号と比較されて、同じファックス番号があるか否かが確認されることによって行われる。
【０２５２】
操作／表示部１０４に入力されたファックス番号が宛先情報記憶部１０５に記憶されるいずれかの宛先情報のファックス番号と同じである場合には（ステップ１４０２でＹＥＳ）、ファックス番号が同じであった宛先の宛先情報として登録されているパラメータとユーザが送信指示の際に操作／表示部１０４より設定したパラメータとの比較が行われる（ステップ１４０３）。
【０２５３】
ステップ１４０３の処理は、まず、送信指示で入力されたファックス番号と同じファックス番号が宛先情報として宛先情報記憶部１０５に記憶されている宛先に設定されているアプリ系パラメータと通信系パラメータとが、ＣＰＵ１０１により宛先情報記憶部１０５より取得される。
【０２５４】
そして、ステップ１４０３の処理は、宛先情報記憶部１０５より取得されたアプリ系パラメータと送信指示の際にユーザにより設定されたアプリ系パラメータとが比較され、また、宛先情報記憶部１０５より取得された通信系パラメータと送信指示の際にユーザにより設定された通信系パラメータとが比較されることによって行われる。
【０２５５】
その結果、宛先情報記憶部１０５より取得されたアプリ系パラメータ（宛先情報として登録されているアプリ系パラメータ）と送信指示の際に設定されたアプリ系パラメータとが異なる場合、或いは、宛先情報記憶部１０５より取得された通信系パラメータ（宛先情報として登録されている通信系パラメータ）と送信指示の際に設定された通信系パラメータとが異なる場合には（ステップ１４０４でＹＥＳ）、次のステップ１４０５の処理が行われる。  ステップ１４０５では、送信指示されたファクシミリ通信に適用させるパラメータ設定（適用予定のパラメータ）を、アプリ系パラメータは送信指示の際に設定された内容とし、通信系パラメータはデフォルト状態で適用されるパラメータの内容とする旨を、ユーザに表示し、その内容の確認をユーザに求める（ステップ１４０５）。
【０２５６】
ユーザへの確認要求は、操作／表示部１０４に確認の内容が表示されて行われる（確認要求の具体的な文言は、例えば、「ユーザからの指示内容は、入力されたファクシミリ番号で短縮に登録されている内容とは異なります。アプリ系パラメータは指示内容を適用、通信系パラメータはデフォルト状態の内容を適用して通信を開始しますか？」である。）。
【０２５７】
ここで、確認要求の具体的な文言は、送信指示の際に入力されたファックス番号でアドレス帳に登録されている宛先に設定されているアプリ系パラメータを適用しない意味を明確にするために、「ユーザからの指示内容は、入力されたファクシミリ番号で短縮に登録されている内容とは異なります。アプリ系パラメータは短縮に登録されている内容を適用せずに指示内容を適用し、通信系パラメータはデフォルト状態の内容を適用して通信を開始しますか？」でもよい。
【０２５８】
ステップ１４０５でユーザに確認させた内容のように、ファクシミリ装置１００では、操作／表示部１０４より直接入力機能により送信指示がされた場合に適用予定となるパラメータは、アプリ系パラメータは送信指示の際に入力されたファックス番号でアドレス帳に登録されている宛先に設定されているアプリ系パラメータの内容ではなく送信指示の際に設定された内容であり、また、通信系パラメータはファクシミリ装置１００がデフォルト状態でファクシミリ送信に適用するパラメータの内容である。
【０２５９】
第３実施例において適用予定のパラメータとは、ステップ１４０５でユーザに確認させる内容に記されるパラメータの設定であって、ファクシミリ送信に適用させるパラメータの設定のことを指す。
【０２６０】
そしてステップ１４０５の確認要求に対してユーザから確認を得ると（ステップ１４０５でＹＥＳ）、ファクシミリ通信に設定するアプリ系パラメータは送信指示の際に操作／表示部１０４より設定されたアプリ系パラメータが適用されて、ファクシミリ通信に設定する通信系パラメータはデフォルト状態のファクシミリ送信の際に適用されるパラメータが適用されて（ステップ１４０６）、ファクシミリ送信される（ステップ１４０７）。
【０２６１】
また、ステップ１４０５の確認要求に対してユーザから確認を得られない場合には（ステップ１４０５でＮＯ）、送信指示の際に操作／表示部１０４より設定されたパラメータ（アプリ系パラメータと通信系パラメータ）が、操作／表示部１０４に表示される（ステップ１４０８）。
【０２６２】
ステップ１４０８で操作／表示部１０４に表示されたアプリ系パラメータと通信系パラメータとをユーザが変更希望しない場合には（ステップ１４０９でＮＯ）、ステップ１４０８で操作／表示部１０４に表示されたアプリ系パラメータと通信系パラメータとが適用されて（ステップ１４１０）、ファクシミリ送信される（ステップ１４０７）。
【０２６３】
また、ステップ１４０８で操作／表示部１０４に表示されたアプリ系パラメータと通信系パラメータとに対して、ユーザが変更を希望する場合には（ステップ１４０９でＹＥＳ）、操作／表示部１０４よりパラメータの変更をユーザから受け付けて（ステップ１４１１）、その受け付けたパラメータを適用して（ステップ１４１２）、ファクシミリ送信される（ステップ１４０７）。
【０２６４】
また、ステップ１４０４で、送信指示の際に操作／表示部１０４から設定されたパラメータが宛先情報記憶部１０５より取得されたパラメータと同じである場合には（ステップ１４０４でＮＯ）、その同じであるパラメータが適用されて（ステップ１４１３）、ファクシミリ送信される（ステップ１４０７）。
【０２６５】
また、そもそも、直接入力機能によるファクシミリ送信の指示でない場合（ステップ１４０１でＮＯ）には、短縮ダイヤル機能が利用されるので、その際には短縮ダイヤルの際に適用されるパラメータ（宛先情報として宛先情報記憶部１０５に記憶される）が適用されて（ステップ１４１３）、ファクシミリ送信される（ステップ１４０７）。
【０２６６】
尚、操作／表示部１０４に表示されるパラメータは、アプリ系パラメータと通信系パラメータとに分けて表示されるように説明したが、分けて表示されなくてもよい。その際にパラメータをアプリ系パラメータと通信系パラメータとに選別する機能は、ＣＰＵ１０１が担う。
【産業上の利用可能性】
【０２６７】
この発明は、ファクシミリ装置およびファクシミリプログラムにおいて利用可能である。
【０２６８】
また、上記実施の形態の機能を実現するためのソフトウェアのプログラムが記録されている記憶媒体を供給し、通信装置などで記憶媒体に格納されたプログラムを読み出し実行することによっても、上記実施の形態と同様の効果を奏する。  プログラムを供給するための記憶媒体としては、例えば、ＣＤ−ＲＯＭ（Compact Disk Read Only Memory）、ＤＶＤ（Digital Versatile Disk）、及びＳＤカード（Secure Digital memory card）などや、プログラムを供給するサーバなどであっても良い。
【符号の説明】
【０２６９】
１００    ファクシミリ装置
１０１    ＣＰＵ
１０２    ＲＯＭ
１０３    ＲＡＭ
１０４    操作／表示部
１０５    宛先情報記憶部
１０８    画像処理部
１１０    Ｇ４ＦＡＸ伝送制御部
１１２    Ｇ３ＦＡＸ伝送制御部
１１５    ＩＦＡＸ制御部
【図１】
2011135300.tif 000003
【図２】
2011135300.tif 000004
【図３】
2011135300.tif 000005
【図４】
2011135300.tif 000006
【図５】
2011135300.tif 000007
【図６】
2011135300.tif 000008
【図７】
2011135300.tif 000009
【図８】
2011135300.tif 000010
【図９】
2011135300.tif 000011
【図１０】
2011135300.tif 000012
【図１１】
2011135300.tif 000013
【図１２】
2011135300.tif 000014
【図１３】
2011135300.tif 000015
【図１４】
2011135300.tif 000016